(57)【要約】【課題】幼児用の物品等が予め収容された被吊物を簡易に装着／取外しすることができる吊具を提供する。【解決手段】横方向に離隔して配され、嵌合凹部１２及び取付部１１を有する二つの受体１，１と、各受体１，１の嵌合凹部１２，１２に両端部が離脱を可能に嵌合される杆体２とを備え、倒立した略Ｕ字形をなすハンドルを備える手押車におけるハンドルの両側縦杆部に受体１の取付部１１を取付けることにより、杆体２の両端部を受体１，１の嵌合凹部１２，１２に嵌合支持させることができ、また、杆体２を持上げることにより、該杆体２を受体１，１から離脱させることができるようにした。【選択図】図２
2011168256.tif 000002
【特許請求の範囲】
【請求項１】
横方向に離隔して配され、嵌合凹部を有する二つの受体及び各受体の間に横方向ヘ長くなるように配されて各受体の前記嵌合凹部に両端部が離脱を可能に嵌合され、中間に被吊物が吊下げられる杆体を備えることを特徴とする吊具。
【請求項２】
前記杆体は、一端部同士が長手方向への相対移動を可能に結合される二つの杆部材からなる請求項１記載の吊具。
【請求項３】
前記二つの杆部材の他端部及び嵌合凹部の一方は係合凸部を有し、他方は該係合凸部が係合することにより前記各杆部材の長手方向への移動を止める係合凹部を有する請求項２記載の吊具。
【請求項４】
前記杆体の長手方向への移動を自在に該杆体に嵌合されるフックを備える請求項１から３のいずれか一つに記載の吊具。
【請求項５】
前記二つの杆部材の一方は小径パイプからなり、他方は、前記小径パイプが相対回転を可能に一端部から嵌入される大径パイプからなり、前記小径パイプの前記一端部に、前記大径パイプの内周面に接触して相対回転量を規制する規制部が設けられている請求項２から４のいずれか一つに記載の吊具。
【発明の詳細な説明】
【技術分野】
【０００１】
本発明はベビーカー等の手押車に装着される吊具に関する。
【背景技術】
【０００２】
ベビーカー等の手押車は、複数の車輪及び載台を有する車体と、該車体から斜め後上方へ延出され、倒立した略Ｕ字形をなすハンドルとを備え、該ハンドルの両側縦杆部及び車体に小物入れ袋が複数本の紐にて取付けられ、ハンドルの上端横杆部を把持して手押しすることができるように構成されている（例えば、特許文献１参照）。
【先行技術文献】
【特許文献】
【０００３】
【特許文献１】特開平１１−１０５７１４号公報
【発明の概要】
【発明が解決しようとする課題】
【０００４】
ところが、特許文献１のような手押車にあっては、複数本の紐を結んで小物入れ袋が取付けられ、また、幼児用の物品等が必要でない状況でハンドルの上端横杆部を把持して手押しする際に、複数本の紐を解いて小物入れ袋が取外しされるため、小物入れ袋の装着／取外しに手間がかかり、改善策が要望されていた。
【０００５】
本発明は斯かる事情に鑑みてなされたものであり、主たる目的は嵌合凹部を有する二つの受体を手押車におけるハンドルの両側縦杆部に取付けた状態で、各受体の嵌合凹部に両端部が離脱を可能に嵌合される杆体だけを着脱することができる構成とすることにより、幼児用の物品等が予め収容された被吊物を簡易に装着／取外しすることができる吊具を提供することにある。
【０００６】
また、他の目的は杆体を、一端部同士が長手方向への相対移動を可能に結合される二つの杆部材からなる構成とすることにより、ハンドルの両側縦杆部間の寸法が異なる手押車であっても取付けることができる吊具を提供することにある。
【０００７】
また、他の目的は二つの杆部材の他端部及び嵌合凹部の一方に係合凸部を設け、他方に、該係合凸部が係合することにより前記各杆部材の長手方向への移動を止める係合凹部を設けることにより、ハンドルの両側縦杆部間の寸法が異なる手押車であっても杆体の長さ調整を簡易にできる吊具を提供することにある。
【０００８】
また、他の目的は杆体の長手方向への移動を自在に該杆体に嵌合されるフックを設けることにより、被吊物の着脱を簡易にできる吊具を提供することにある。
【０００９】
また、他の目的は二つの杆部材の一方を小径パイプとし、他方を、小径パイプが相対回転を可能に一端部から嵌入される大径パイプとし、前記小径パイプの前記一端部に、前記大径パイプの内周面に接触して相対回転量を規制する規制部を設けることにより、ハンドルの両側縦杆部間の寸法が異なる手押車であっても杆体の着脱を簡易にできる吊具を提供することにある。
【課題を解決するための手段】
【００１０】
本発明に係る吊具は、横方向に離隔して配され、嵌合凹部を有する二つの受体及び各受体の間に横方向ヘ長くなるように配されて各受体の前記嵌合凹部に両端部が離脱を可能に嵌合され、中間に被吊物が吊下げられる杆体を備えることを特徴とする。
【００１１】
この発明にあっては、手押車におけるハンドルの両側縦杆部に受体を取付けることにより、杆体の両端部を受体の嵌合凹部に嵌合支持させることができるため、幼児用の物品等が予め収容された被吊物を杆体に簡易に吊下げることができ、また、被吊物を吊下げない場合、二つの受体が手押車のハンドルに装着されている状態で杆体を持上げることにより、該杆体を受体から離脱させることができるため、幼児用の物品等が必要でない場合、被吊物を簡易に取外すことができる。
【００１２】
また、本発明に係る吊具は、前記杆体は、一端部同士が長手方向への相対移動を可能に結合される二つの杆部材からなることを特徴とする。
この発明にあっては、二つの杆部材を相対移動させて杆体の全長を変えることができるため、ハンドルの両側縦杆部間の寸法が異なる手押車であっても吊具を取付けることができる。
【００１３】
また、本発明に係る吊具は、前記二つの杆部材の他端部及び嵌合凹部の一方は係合凸部を有し、他方は該係合凸部が係合することにより前記各杆部材の長手方向への移動を止める係合凹部を有することを特徴とする。
この発明にあっては、ハンドルの両側縦杆部に受体が取付けられ、各受体の嵌合凹部に杆体の両端部が嵌合支持されるとき、係合凸部及び係合凹部が係合し、各杆部材の各受体に対する長手方向への移動が規制されるため、ハンドルの両側縦杆部間の寸法が異なる手押車であっても杆体の長さ調整を簡易にできる。
【００１４】
また、本発明に係る吊具は、前記杆体の長手方向への移動を自在に該杆体に嵌合されるフックを備えることを特徴とする。
この発明にあっては、提手付き被吊物の提手をフックに掛止することができるため、被吊物の着脱を簡易にできる。
【００１５】
また、本発明に係る吊具は、前記二つの杆部材の一方は小径パイプからなり、他方は、前記小径パイプが相対回転を可能に一端部から嵌入される大径パイプからなり、前記小径パイプの前記一端部に、前記大径パイプの内周面に接触して相対回転量を規制する規制部が設けられていることを特徴とする。
この発明にあっては、二つの杆部材を長手方向へ相対移動させ、杆体の長さを調整した後、二つの杆部材を相対回転させることにより、調整された長さを保つことができるため、ハンドルの両側縦杆部間の寸法が異なる手押車であっても杆体の着脱を簡易にできる。
【発明の効果】
【００１６】
本発明によれば、手押車におけるハンドルの両側縦杆部に受体を取付けることにより、杆体の両端部を受体の嵌合凹部に嵌合支持させることができ、また、杆体を持上げることにより、該杆体を受体から離脱させることができるため、幼児用の物品等が予め収容された被吊物を簡易に装着／取外しすることができる。
【００１７】
また、本発明によれば、二つの杆部材を相対移動させて杆体の全長を変えることができるため、ハンドルの両側縦杆部間の寸法が異なる手押車であっても吊具を取付けることができる。
【００１８】
また、本発明によれば、各受体の嵌合凹部に杆体の両端部が嵌合支持されるとき、係合凸部及び係合凹部が係合し、各杆部材の各受体に対する長手方向への移動が止められるため、ハンドルの両側縦杆部間の寸法が異なる手押車であっても杆体の長さ調整を簡易にできる。
【００１９】
また、本発明によれば、提手付き被吊物の提手をフックに掛止することができるため、被吊物の着脱を簡易にできる。
【００２０】
また、本発明によれば、二つの杆部材を長手方向へ相対移動させ、杆体の長さを調整した後、二つの杆部材を相対回転させることにより、調整された長さを保つことができるため、ハンドルの両側縦杆部間の寸法が異なる手押車であっても杆体の着脱を簡易にできる。
【図面の簡単な説明】
【００２１】
【図１】本発明に係る手押車に装着された吊具の構成を示す斜視図である。
【図２】本発明に係る吊具の構成を示す斜視図である。
【図３】本発明に係る吊具の構成を示す平面図である。
【図４】本発明に係る吊具の構成を示す縦断正面図である。
【図５】本発明に係る吊具の受体側部分の構成を示す拡大平面図である。
【図６】本発明に係る吊具の受体側部分の構成を示す拡大縦断正面図である。
【図７】図６のVII −VII 線の拡大断面図である。
【図８】図４のVIII−VIII線の拡大断面図である。
【図９】本発明に係る受体の構成を示す斜視図である。
【図１０】本発明に係るロック部の構成を示す分解斜視図である。
【発明を実施するための形態】
【００２２】
以下本発明をその実施の形態を示す図面に基づいて詳述する。図１は手押車に装着された吊具の構成を示す斜視図、図２は吊具の構成を示す斜視図、図３は吊具の構成を示す平面図、図４は吊具の構成を示す縦断正面図、図５は受体側部分の構成を示す拡大平面図、図６は受体側部分の構成を示す拡大縦断正面図、図７は図６のVII −VII 線の拡大断面図、図８は図４のVIII−VIII線の拡大断面図、図９は受体の構成を示す斜視図、図１０はロック部の構成を示す分解斜視図である。
【００２３】
本発明に係る吊具は、前後左右に離隔した四つの車輪８１及び載台８２を有する車体８と、該車体８から斜め後上方へ延出され、倒立した略Ｕ字形をなすハンドル９とを備える手押車Ａにおける前記ハンドル９の両側縦杆部９１，９１に取付けられる吊具である。
【００２４】
この吊具は、両側縦杆部９１，９１に取付けられる取付部１１及び嵌合凹部１２を有する二つの受体１，１と、各受体１，１の嵌合凹部１２に両端部が上方への離脱を可能に嵌合される杆体２と、該杆体２の長手方向への移動及び回転を自在に杆体２に嵌合されているフック３とを備える。
【００２５】
嵌合凹部１２は半円筒形をなし、該嵌合凹部１２の長手方向一端に結合板部１３が一体に成形されている。嵌合凹部１２の一端部には周方向に長い係合凹部１４が設けられている。結合板部１３には、嵌合凹部１２の両側に配された二つの貫通孔１５，１５と、嵌合凹部１２の内側に臨む位置に配された嵌合溝１６とが設けられている。
【００２６】
取付部１１は、その周面に割部を有し、滑止め性の高いゴム製の可撓筒１１ａと、結合板部１３の一方の貫通孔１５に一端部が取付けられた帯体１１ｂとを有し、該帯体１１ｂの他端側が他方の貫通孔１５に挿通されるようになっている。可撓筒１１ａには外周面から外方へ突出する嵌合凸部１１ｃが設けられ、該嵌合凸部１１ｃの嵌合溝１６への嵌合により可撓筒１１ａが嵌合凹部１２に結合されている。可撓筒１１ａ及び嵌合凹部１２は、直交する２方向へ開放され、杆体２の長手方向となるように並置されている。
【００２７】
帯体１１ｂは、一面に複数のループ及び複数の針状フックを有する面ファスナーからなり、結合板部１３の他方の貫通孔１５に挿通される他端側の折返しにより一面の針状フックがループに係合し、可撓筒１１ａの開放部を覆うようになしてある。
【００２８】
杆体２は、アルミニウム製の小径パイプからなる第１の杆部材２１と、該杆部材２１が相対移動及び相対回転を可能に一端部から嵌入されたアルミニウム製の大径パイプからなる第２の杆部材２２とを有し、第１の杆部材２１の一端部に、第２の杆部材２２内に嵌入され、杆部材２２の内周面に接触して相対回転量を規制する規制部４が設けられている。各杆部材２１，２２の他端部には、環状の係合凸部２３ａを有する合成樹脂製の筒体２３，２３が嵌合固定されており、また、第１の杆部材２１の一端部外側に、第２の杆部材２２の外径よりも若干大径の孔を有する合成樹脂製のカバー筒２４が嵌合固定されている。
【００２９】
規制部４は、第１の杆部材２１の外径とほぼ同径の軸部の中途に偏心軸部４１ａ及び該偏心軸部４１ａの周面一箇所から外方へ突出する回止突起４１ｂが設けられている軸体４１と、該軸体４１の偏心軸部４１ａに遊嵌され、軸体４１とほぼ同径の割環４２とを有し、軸体４１の一端部が第１の杆部材２１内に嵌入固定され、第１の杆部材２１の回転により、偏心軸部４１ａが割環４２を径方向外方へ移動させ、該割環４２を第２の杆部材２２の内周面に押付けるように構成されている。割環４２の内周面は割部４２ａ側へ偏心しており、割部４２ａと対向する位置に薄肉部４２ｂが設けられている。また、割環４２の割部４２ａ側には、回止突起４１ｂに当接して軸体４１との相対回転を規制する当接部４２ｃ，４２ｃが設けられている。
【００３０】
フック３は、割溝３ａを有する筒部から略Ｊ字形をなし、筒部が杆体２に嵌合されている。
【００３１】
以上のように構成された吊具は、前後左右に離隔した四つの車輪８１及び載台８２を有する車体８と、該車体８から斜め後上方へ延出され、倒立した略Ｕ字形をなすハンドル９とを備える手押車Ａにおける前記ハンドル９の両側縦杆部９１，９１に受体１が取付部１１にて取付けられる。
【００３２】
各受体１，１は、取付部１１の可撓筒１１ａが縦杆部９１に嵌合された後、帯体１１ｂが結合板部１３の他方の貫通孔１５に挿通され、該帯体１１ｂの折返しにより可撓筒１１ａとの間で縦杆部９１を締付ける。
【００３３】
各受体１，１の縦杆部９１，９１への取付けにより、二つの嵌合凹部１２，１２は縦杆部９１，９１の間に配され、上向に開放される。この状態で杆体２の両端部を嵌合凹部１２，１２に載せることにより、該杆体２を受体１，１に支持することができ、ハンドル９の上端横杆部９２より下側に、該上端横杆部９２と平行的に杆体２を配することができる。この際、杆体２の両端側の係合凸部２３ａ，２３ａが、二つの嵌合凹部１２，１２の係合凹部１４，１４に係合し、杆体２の長手方向への移動を規制することができる。
【００３４】
このように、ハンドル９の上端横杆部９２より下側に杆体２を配することができるため、幼児用の物品等が予め収容された提手付き被吊物を杆体２のフック３に吊下げることができ、この吊下げ状態で物品を出し入れすることができる。
【００３５】
収容袋等の被吊物を携行しない場合、杆体２を持ち上げることにより、該杆体２を二つの受体１，１から離脱させることができ、杆体２だけを格納することができるため、杆体２に邪魔されることなくハンドル９の上端横杆部９２を把持して手押車Ａを手押しすることができる。杆体２を格納する際、二つの受体１，１は手押車Ａのハンドル９に装着されているため、被吊物を吊下げるとき、杆体２の両端部を嵌合凹部１２，１２に載せるだけで、杆体２を装着することができ、該杆体２に被吊物を吊下げることができる。
【００３６】
手押車の機種の違いによって、前記ハンドル９の両側縦杆部９１，９１間の寸法が異なる場合、杆体２における二つの杆部材２１，２２を相対回転させることにより、規制部４における偏心軸部４１ａの割環４２内周面との係合位置を変え、規制部４による杆部材２１，２２の相対回転規制を解除することができるため、二つの杆部材２１，２２を長手方向へ相対移動させ、杆体２の長さを調整することができる。長さが調整された状態で二つの杆部材２１，２２を相対回転させることにより、規制部４における偏心軸部４１ａが割環４２を径方向外方へ移動させ、杆部材２１，２２の相対回転を阻止することができるため、調整された長さを維持することができ、二つの受体１，１に杆体２を支持することができる。
【００３７】
尚、以上説明した実施の形態では、二つの杆部材２１，２２により杆体２を構成したが、その他、杆体２は一つの杆部材からなる構成としてもよい。
【００３８】
また、以上説明した実施の形態では、受体１の取付部１１は可撓筒１１ａ及び帯体１１ｂを有する構成としたが、その他、帯体１１ｂだけを有する構成としてもよく、取付部１１の構成は特に制限されない。
【００３９】
また、以上説明した実施の形態では、杆体２に嵌合されるフック３を有する構成としたが、その他、フックがなく、杆体２が挿通される挿通孔を有する収納袋が吊下げられ、該収納袋に幼児用の物品等が収納されるようになしてもよく、杆体２に吊下げられる被吊物は特に制限されない。
【符号の説明】
【００４０】
１    受体
１１  取付部
１２  嵌合凹部
１４  係合凹部
２    杆体
２１  第１の杆部材
２２  第２の杆部材
２３ａ  係合凸部
３    フック
４    規制部
【図１】
2011168256.tif 000003
【図２】
2011168256.tif 000004
【図３】
2011168256.tif 000005
【図４】
2011168256.tif 000006
【図５】
2011168256.tif 000007
【図６】
2011168256.tif 000008
【図７】
2011168256.tif 000009
【図８】
2011168256.tif 000010
【図９】
2011168256.tif 000011
【図１０】
2011168256.tif 000012